(57)【要約】      （修正有）【課題】下記（１）〜（７）の効果が期待できる蓄熱材を提供する。（１）蓄熱材によりタンクや装置の小型化。（２）組み合わせで広域環境温度に対応する。（３）簡便なユニットの増設等で蓄熱容量の調整が容易である。（４）単位蓄熱量が大きい。（５）伝熱性に優れる（６）低廉で経済的である。（７）軽量で侵食がない。【解決手段】マトリックス型蓄熱カプセル体（１）のカプセル素材が不透過性合成樹脂製又、或は金属アルミニウム製（１ａ）の射出成型物で滑らかな平面を所要するプレート形状に多口径で独立した立方形や円形の中空層を有する長、正方形マトリックス構造体、該マトリックス空間内に相分離阻止、過冷却阻止、転移点の変更及び熱伝導促進機能の基本的保全を施して、物質固有の凝固／液化の相変化を示す電解質水和物また或は炭化水素化合物（１Ｃ）を充填密封した特許請求に係るプレート状のマトリックス構造（型）潜熱蓄熱カプセル体。【選択図】図１
2014058681.tif 000002
【特許請求の範囲】
【請求項１】
マトリックス型蓄熱カプセル体（１）のカプセル素材が不透過性合成樹脂製又、或は金属アルミニウム製（１ａ）の射出成型物で滑らかな平面を所要するプレート形状に多口径で独立した立方形や円形の中空層を有する長、正方形マトリックス構造体、該マトリックス空間内に相分離阻止、過冷却阻止、転移点の変更及び熱伝導促進機能の基本的保全を施して、物質固有の凝固／液化の相変化を示す電解質水和物また或は炭化水素化合物（１Ｃ）を充填密封した特許請求に係るプレート状のマトリックス構造（型）潜熱蓄熱カプセル体。
【請求項２】
電解水和物（１Ｃ）に係る過冷却阻止及び組成（相）分離の抑止、転移点変更及び温度伝達促進に有効な処理材を各系の潜熱蓄熱材組成物１００重量部に対して、０．１重量％以上３０重量％の範囲で施した電解質水和物が硫酸ナトリウム系水和物、酢酸ナトリウム系水和物、ミョウバン系水和物及び炭化水素系化合物で、各々の潜熱蓄熱材組成物（１Ｃ）を該カプセル内に充填密封して、潜熱蓄熱カプセル体とする特許請求項１記載のマトリックス構造（型）潜熱蓄熱カプセル体。
【請求項３】
プレート状でマトリックス構造カプセルの構成素材が合成樹脂製のポリエチレン（ＰＥ）、ポリプロピレン（ＰＰ）、ポリカーボネート（ＰＣ）、ポリフタレン酸エステル（ＰＥＴ）或は金属アルミニウム（ＡＬ）の押出射出成型物で中空層に独立した多口径の一片が（１ａ／１ｂ）で滑らかな平面を保有する長、正方形のマトリックス構造体が温度伝達効果に有効な厚み２．５ｍｍから２５ｍｍ／ｔの範囲であり、潜熱蓄熱材組成物を充填し密閉処理を施した特許請求項１記載のマトリックス構造（型）蓄熱カプセル体。
【発明の詳細な説明】
【技術分野】
【０００１】  本発明は、薄く平面体内に中空層で独立した多口径のマトリックス構造を潜熱蓄熱材用のカプセル（１）に仕立てた構成物である。充填の組成物（１Ｃ）は温度変化（上昇）の効果を示さずに、単に物質固有の状態を変化するために費やされる熱（潜熱）で、物質の一次相移転に伴って現れる融解熱、凝固熱、気化熱と発生する比熱を活用技術である。【０００２】  採用する物質は、一般的に知られる組成水和物が以下に示す４種類の素材を用い、その物質の固／液に相変化する転移点の利用を特徴としている。種類そのＩに包晶型の硫酸ナトリウム水和物、融点３２．４℃、密度３８９（ＭＪ／ｍ３）、潜熱量２４６（ＫＪ／Ｋｇ）、そのＩＩに酢酸ナトリウム水和物、融点５８．５℃、密度３６４（ＭＪ／ｍ３）、潜熱２５１（ＫＪ／Ｋｇ）、そのＩＩＩに調和型の明礬水和物、融点９４℃、密度４００（ＭＪ／ｍ３）、融解潜熱２３２（ＫＪ／Ｋｇ）、そのＩＶに炭化水素化合物（パラフィン）であり、各種潜熱組成物の温度特性を採用のマトリックス構造カプセル型潜熱蓄熱体の形態てある。【０００３】  前記する各系の温度適性を用いて、暖冷房空調や給湯用分野に活用する蓄熱に係る形態で、パッシブな太陽熱、大気熱、排熱の熱源を活用上のタイムラグを補い、必要時に住宅や施設ビル及び農業等の分野に冷暖房及び給湯を低廉で提供する製品を目的としている。
【背景技術】
【先行技術文献】
【０００４】  従来から冷暖房や給湯の蓄熱手段に使用する容器材にはポリエチレンやポリプロピレン等の合成樹脂製ブロー容器が球状、中空板ボードや、押出成型になるラミネート包装物による蓄熱体形状が一般的な実施態様として知られ、夜間電力を利用した直接付設方式の床暖房等で実用化されてきた。
【０００５】  しかしながら、蓄熱材やその形態で所要の熱量や性能に係る温度伝達性の課題は保有潜熱温度の性能を充分に発揮していない実態の現状があった。理由は保有熱容量に比べ、温度伝導度に関係する容器の体積が関係し、取出し熱流量の確保で温度取入口と吐出口に温度差が生じるため、熱媒体の熱流量の調整を必要とし、必然的に貯蓄装置が大型化し、熱効率と経済的負担が避けられない実態があった。
【０００６】  貯湯蓄熱装置の課題は温度差が拡大する冬季の稼働で、外気温が０℃時の貯湯槽は自然放熱による温度ロスが毎時約０．５℃低下する事が調査データから判明していた。温水の貯湯槽が温度成層型の場合、一日の熱損失は内外温度差、貯湯槽の表面積と外気温度にさらされる接触表面積の影響を受けて、残存湯量に比例して、熱損失も増大していた。周囲温度＝供給水温＝１０℃の条件下で、熱損失は理論上の必要量熱量Ｋｃａｌに対し、熱損失率は実に３８．８％に達する実態がある。需要傾向の多機能化で湯量の需要増がタンクの大型化を加速し、設置場所の選定を困難にしていた。小型ヒートポンプは、単独では性能上、立上げの温度追従でタイムラグが生じ、利便性を欠くなどの課題があった。
【特許文献】
【０００７】
【特許文献１】  特公告２８９０１９７
【特許文献２】  特公告２５６６４４５
【特許文献３】  特開平１０−２３７４３３
【特許文献４】  特開２００６−７５５７９
【特許文献５】  特開昭５７−１９８７８０
【特許文献６】  特開昭５９−１９７４８６
【特許文献７】  特開昭５７−０７４３８０
【特許文献８】  特開昭５７−０７４３８０
【特許文献９】  特開昭６３−１３５７４７
【特許文献１０】  特開２０１０−１２１８１４
【非特許文献１】  財団法人日本機械工業学会研究部会
【発明の概要】
【発明が解決しようとする課題】
【０００８】  本発明はプレート状のマトリックス型蓄熱カプセル体（１）に内蔵する潜熱蓄熱材組成物（１Ｃ）が物質固有の融解点より降温すると、凝固へのエントロピー生成状態が終了するまで、潜熱を放熱し質量に応じたエネルギーの放出と吸収の性状を示す。相変化は物質（１Ｃ）が完全に液化また凝固まで、熱吸収と放熱の可逆性を保有している。【０００９】  該蓄熱装置に使用する電解水和組成物（１Ｃ）の系は水の容量に比べ、比重で１．４５倍以上、周囲温度＝供給水温＝１０℃の条件時（△Ｔ／１０℃差）の単位熱量は水の約５倍相当がコンパクトで熱量の大きい利点が、容器や係る装置の小型化を促進し、放熱表面負荷を削減する。また該蓄熱組成物はマトリックスの独立したカプセル空間（１ａ／１ｂ）内に蓄熱物質を保持し、空気／液体（水）の熱媒体（２）との接触面積及び断面の熱伝達抵抗値を改善し温度伝達効率向上での効果が大きい。【００１０】  この試みで、熱負荷を軽減して、温度伝達効率を改善した熱供給機能を向上できる。又従来型の既存貯湯槽との所要熱量比で約５５％以上のエネルギーの削減が可能との試算での比較から、待機電力の削減等、省スペース、省エネルギーに寄与するものである。【００１１】  低温域７℃から２０℃の環境温度範囲で転移点に対応するマトリックス型蓄熱カプセル体（１）に内蔵した潜熱蓄熱組成物（１Ｃ）は硫酸ナトリウム水和物系相当が、この低い温度への許容性が大きく、低温転移点に適性である。また中温度域の５０℃から６５℃の使用環境温度に適応するには、酢酸ナトリウム水和物相当が対応可能な転移点機能の性状を保有するので有効である。高温度域８５℃から７５℃環境温度に対応する素材に明礬水和物相当の転移点の応用が有用な態様である。【００１２】  パッシブで多岐に渉る熱源に冷凍ヒートポンプチラー供給温度４℃以上や太陽熱集光器や大気熱源とする圧縮ヒートポンプで２５℃から９０℃の回収熱利用に、前記の各系を採用して冷房／暖房／給湯に用いる蓄熱装置の活用に有利である。【００１３】  本発明のマトリックス蓄熱カプセル体（１）に充填する各系の潜熱蓄熱水和物質（１Ｃ）は何れも水との熱量の比較において、密度で平均１．４倍以上、（△Ｔ／１０℃）時で所要熱量と放熱量は１．６倍から５．０倍差と大きく、当該蓄熱体を活用する装置の小型化に低コスト化の可能性が大きく有利である。【００１４】  該各系蓄熱物質は物質固有の融点で吸熱して融解、融点以下で潜熱を放熱しながら凝固の熱反応作用を顕すので、吸熱と放熱は可逆的な状態（相）変化が完了するまで、所要の融点付近で一定温度の潜熱放熱を持続する性状を示す。本発明は単独又は相和した混合物を主材に、融点温度を調理調合した各系の水和物から適選して対応できる。【００１５】  本発明に示す電解質水和物の潜熱蓄熱組成物（１Ｃ）の内、酢酸ナトリウム水和物の性状値は融点５８．５℃、潜熱量６０Ｋｃａｌ／ｋｇは包晶型であり、融解の過程は高温となる。結果、融解／凝固等の熱履歴過程で比重差で生じる分子間分離や過飽和による過冷却の発生が著しく、固体の熱伝導度は０．３５ｍ．ｋ程度と熱抵抗による伝熱係数は氷の約３５％程度等と効率化に係る解決すべき課題があった。
【課題を解決するための手段】
【００１６】  マトリックス蓄熱カプセル体（１）は吸放熱体として、熱媒体（２）やパッシブな熱との接触表面積率と蓄熱材固有の熱伝導度により、接触面の積に比例した温度伝達効率に優れ、固有の温度伝達抵抗を緩和する有効手段に、該潜熱蓄熱組成物と外部負荷接触値、即ち、熱伝達性に優れた容器の形状を発揮する最適値化と該潜熱蓄熱材の伝熱の効率化処置に、カプセル厚を削減することで、温度伝達効率の改善が可能である。所要熱量の調整は事前にマトリックス型蓄熱カプセル体（１）の積層の増減量で即応できる。【００１７】  温度伝達の効率化に、ａ．容器内の熱交換効率の確保、ｂ．熱伝達質量の確保による相乗効果で装置の小型化を効果的達成を可能とした。効果として、系固有の熱伝導抵抗を減少させて、エントロピーの生成時間の短縮やＣＯＰの向上に寄与する。しかしながら、一般的に電解質水和物は融解に係る共通の相分離や過冷却の性状課題を抱えている。硫酸ナトリウム水和物、酢酸ナトリウム水和物、明礬水和物もその例外ではなかった。この現象は組成物を構成する分子が複数以上で構成される場合、顕著な特異性を有し、組成の補強を講ずることなく、系単独での潜熱蓄熱材組成物として機能継続は持続できなかった。【００１８】  この現象（相分離）の解決に共通した技術的課題は組成物に自在に離吸水に対応した水分離の防止補強機能を要し、合成パリゴスカイト・アタパルジャイト・スメクタイト、ゼオライト、セピオラト等の無機精製物を用いる手段と、融点以下で凝固しない過飽和による過冷却現象の阻止剤にコハク酸ナトリウム・フッカ化合物・酢酸化合物・明礬・硫酸化合物・リン酸化合物・硼酸化合物・キレート剤化合物から選択して適栓に用いる事で過冷却阻止に有効に作用する。また転移点温度降下にアミン類（各種塩化物）や温度伝達促進に係るカーボンを前記各主材系に適応する事で有効に作用し課題を解決できる。【００１９】  各種明礬系水和物の溶解液は酸性であり、耐食に課題があるが、マトリックス型蓄熱カプセル体（１）の素材に耐熱性ポリカーボネートとすることで、高温と腐食を排除でき、熱装置機器応用の保全と安定性確保に経済的に低廉なコストを提供できる。【００２０】  本発明に用いるマトリックス型蓄熱カプセル体（１）の形状はプレートで中空層のカプセル（１ａ／１ｂ）内に蓄熱組成物（１Ｃ）を充填内蔵する該支持体の素材がポリエチレン（ＰＥ）、ポリプロピレン（ＰＰ）、ポリカーボネート（ＰＣ）、ポリフタル酸エステル（ＰＥＴ）或いは、硬質アルミニウム（ＡＬ）から適栓して採用で対応できる。【００２１】  採用の潜熱蓄熱組成物（１Ｃ）の主材が硫酸ナトリウム水和物、酢酸ナトリウム水和物、各種明礬水和物或いは炭化水素化合物である。該各系の組成物は各々が固有の融点で液化し、それ以下では凝固する可逆的エントロピーを生成する。熱源及び負荷から受取る熱エネルギーは熱媒体を介して、前記蓄熱材を内蔵するマトリックス型蓄熱カプセル体に熱伝達される。【００２２】  熱媒体の温度（２）が蓄熱組成物固有（１Ｃ）の融点より高くなれば、マトリックス内の潜熱蓄熱材は温度熱を吸収しながら液化して、吸熱状態を保ち、系の融点温度が下がるれば、水素結合のエネルギーを放出して、���点温度を維持しながら凝固潜熱を放熱し固形化と共に放熱は完了の性状を示す。エントロピー生成過程で出入りする潜熱を冷暖房や給湯に利用する。放熱後は再加熱により融解の繰り返しの可逆性を有する。【００２３】  蓄熱装置への応用には熱の出入は該潜熱蓄熱体（１）と熱媒体（２）との間で、温度差を介して、可逆的に熱吸収と放熱が行われるが、所要の該マトリックス型蓄熱カプセル体（１）の可変性を活用できる。負荷に係る熱対応に適正値を保持し、熱媒体（２）との効率的な熱伝達を達成する。内蔵する蓄熱体により温度は異なるが、所要熱量の増量と相俟って、熱伝達機能の高度化と熱流量の負荷に対応の能力を効率的に向上に貢献する。【００２４】  熱保有の空気／液体に係る熱媒体（２）とマトリッス型蓄熱カプセル体（１）の接触を介して、潜熱蓄熱材組成物（１Ｃ）への温度伝達で熱の受渡しが行われる。熱伝導効率の向上手段として、当該熱媒体（２）と接触のマトリックス型蓄熱カプセル体（１）の総厚を良好な許容範囲例えば３．５ｍｍから７，０ｍｍの範囲が温度伝達に良好な態様である。【００２５】  該蓄熱体（１）の積層効果は熱媒体（２）との接触面積の拡大で保持熱量の増量と温度伝達効率を向上させる。一般的に融解は熱伝導度に比例し、熱抵抗に反比例する、熱伝導λと温度伝導率はａ＝λ／ＰＣの原則に起因し、蓄熱体の単位数量の増減に関わる、即ち、蓄熱量の高密度化と高出入力が設置機器等のＣＯＰの向上に寄与する。【００２６】  従来の球状やボード状の合成樹脂プロー成型容器に比べて、単位あたりの蓄熱の温度伝達能を約５倍から１６倍に改善し、省スペース化を促進できる。実施において、内外温度差△Ｔ２０℃で、水容積１００ｌの比熱量との比較で、高温水７０℃に所要の比熱量は５，０００Ｋｃａｌ／Ｋｌに対して、該系の７０℃時の潜熱体は５ｍｍｔで容器量１００ｌの場合、潜熱と比熱の熱量は概ね１１．９２０Ｋｃａｌ／Ｋｌであり、所要熱量差は約２．４倍に値する優位性を発揮して省スペースと省エネルギーの効果がある。
【発明の効果】
【００２７】  熱源及び負荷に係わるマトリックス型蓄熱カプセル体（１）は容積に限定されないが、厚み選択の一例として、総合５ｍｍ厚使用の熱伝達抵抗は、概ね、固／液での温度伝達効果において、水と同等以上の良好な吸放熱効果が実験値で得られた。【００２８】  当該マトリックス潜熱蓄熱体（１）を採用の蓄熱装置とする場合、該体の両面は空気又は液体になる熱媒体（２）との面接触に係る温度差で吸放熱の熱伝達効率が決定される。例えば、中温度の環境域に採用する酢酸ナトリウム水和物相当（１Ｃ）は所要熱量６０Ｋｃａｌ／Ｋｇで５８℃の定量を定時内に多量に熱の供給機能を発揮する。一般的に水和物塩は包晶型が多く、融解には調和型に比べて、固有の融点より概ね、１５℃から２０℃以上高い加熱に温度差の負荷があった。この値を調和型へ変更することが、吸放熱熱量に係る熱削減を伴わない手段であり、変調材利用技術を用いる処置で効果的に課題を解消できる。【００２９】  一方、明礬系水和物は調和型であり、所望の加熱温度も降温処置融点に近接できる。又該系にポリカーボネート樹脂又は酸化防止金属アルミニウムの使用により１００℃以上の高温に耐え得る事ができる。太陽熱や夜間電力を動力に大気熱を該蓄熱容器に貯める手段としても、単位潜熱量が大きく、温度伝導度に優れる潜熱型蓄熱装置の構築が容易である。生産性効果で低価格の製品装置の供給と小型化による利用範囲を拡大して、各分野の冷暖房給湯設備の省スペース化にメリットがある。
【発明を実施するための形態】
【００３０】  本発明は、該潜熱蓄熱材組成物（１Ｃ）を中空層内に充填して、マトリックス型蓄熱カプセル体（１）とする手段に、液体真空充填方法や点滴ノズル注入法及び固形化充填法の手段を採用する。液体方式は予め、調製した該潜熱蓄熱組成（１Ｃ）を溶解液化した後、真空置換機能を応用してカプセル充填を行うものである。
【００３１】  固形化充填は予め同様に調製した該潜熱蓄熱組成（１Ｃ）の溶解物を充填口径形状に固形化して、カプセル内に挿入する方式で、充填製法は本発明のマトリックス型蓄熱カプセル体の品質保全と効率的生産性で低廉なコスト確保に対応する長所を享受する利点がある。
【００３２】  マトリックス型蓄熱カプセル体は滑らかな平板プレート形状で建築用の室内の温調仕切材として壁、床、天井や又は複数を組合わせて、積層ユニット化が容易であり、マトリックス型蓄熱カプセル体により、容易に構成される蓄熱装置は熱量の増減等のプロセスで、分割設置やコンパクトな簡素化が容易であり、熱伝達の即効性と大熱容量で低廉な経済性を有する。
【００３３】  マトリックス型蓄熱カプセル体（１）を応用した装置機能では効率化を向上できる。例えば蓄熱装置のタンク素材はＦＲＰの複合樹脂製やＰＥプラスチックタンクは従来型の貯熱装置に比較して、容積を１／２以下に小型でき、腐食を防止し、土中への直接埋設や床下・地下室に設置するなどの手段で断熱保温効果と未利用スペースの活用等、多様な断熱法を可能とする寒冷地に仕様など需要ニーズに対応するバリエーションを可能とする。電気・ガス・オイルや再生エネルギーを併用で、初期設備投資で低廉な設備コスト蓄熱装置として太陽熱に係るタイムラグを補う蓄熱装置として低廉コストの態様に有用である。
【００３４】  その他の活用例として、マトリックス型蓄熱カプセル体を貯熱タンクを活用して、その内部に前記蓄熱体を積層或は並列した蓄熱装置構築の場合、設置する当該蓄熱体（１）の密着を防止して、積層物間に熱媒体の流路（２）の確保にに空のマトリックス板を熱流体通路として付帯する手段や予め装置内に当該蓄熱体の止具を設置すればよい。接触面積に比例して、該蓄熱材と熱媒体の温度伝導を接触温度流量の確保で効率を向上できる。
【図面の簡単な説明】
【００３５】
【図１】は入熱及び放熱を行う潜熱蓄熱材組成物（１ｃ）を収納する一体成型の中空孔の構成を拡大したマトリックス型蓄熱カプセル体の斜図である。プレート面（１ａ）と中空孔を支える柱面（１ｂ）からなる立体空間で、潜熱蓄熱材組成物（１ｃ）を充填する開口断面、（４）シール状態図である。
【図２】は潜熱蓄熱材組成物（１ｃ）を充填したマトリックス型蓄熱カプセル体（１）の建材に活用の構成を示す断面図である。Ｂは内壁仕上面、Ｃはエアーベンチレーション、Ｄは外断熱層、Ｅは外壁を示す。
【図３】はマトリックス蓄熱カプセル体（１）の複数を積層した状態を示し、該積層密着防止用部位（３）を示し、熱媒体（２）の流路を確保して、積層又或いは並列により、外部または負荷への温度伝達流量路を形成した状態を示す。
【発明を実施するための形態】
【００３６】
【実施例１】
【００３７】本発明の実施例である。
本発明に採用するＡ〜Ｂの内、選ばれる酢酸ナトリウム系を適性に調整した組成物の実施例である。比熱０．３５［Ｋｃａｌ／Ｋｇ／℃］密度平均１．４２で放熱量に換算を表１に蓄熱材重量として示す。平板の中空間のマトリックス型蓄熱カプセル内に潜熱蓄熱材組成物（１）を充填密封して試料とした。加熱温水ヒーターで７５℃に昇温した温水の流速を電磁ポンプで一定流量に設定して、吸熱及び放熱の性状について加熱器の入口温度と出口温度をデーターロガーで測定した計測値を表１に示す。熱量の所要はＤＳＣ計測方法とほぼ、一致した値で結果から実施例に採用の該系（１）の熱量は元相理論数値に近い数値を得た。尚、酢酸ナトリウム３水塩の融点調整になる組成物試料（１Ｃ）を作成して、繰り返しの実施例では実用を想定して熱履歴の試験を行い、性能の効果について詳細は計測表２に示す。△Ｔ＝２０℃環境温度差に措いて実施した該系になる潜熱蓄熱体の計測結果は系の原型理論値とほぼ近い値を示した。表１に標記するＡ記号は、試料１保持容器の蓄熱材は酢酸ナトリウム３水塩組成物、Ｂ記号は、試料２同ブロー成型構造体と酢酸ナトリウム３水塩実施に措いての試料。Ｓ、水道水を示す。
【実施例２】
【００３８】  適性に調整のマトリックス型蓄熱カプセル体（１）を積層した蓄熱装置に、ＳＵＳ３０６製（４）６ｌ試料体積内に試料単位：幅３００ｍｍ／長６００ｍｍ／厚０．５ｍｍ）を重量／枚当たり１．２ｇ×３枚（３．６Ｋｇ）を積層し、該積層間を２ｍｍ以内の間隔で熱媒体の流路を確保した装着を表１より選ばれる。該、系固有の融点を有する酢酸ナトリウム水和物を調整して成る潜熱放熱組成物（１）を定量６ｌの装置に装填した。同じく系固有の融点を有する酢酸ナトリウム水和物を調整して成る潜熱放熱組成物（１Ｃ）を合成樹脂製ブロー容器に単位３０００ｍｌ（４．３Ｋｇ）総計重量４．３Ｋｇを水量６ｌを満たした容器に装着して、熱量体積を６ｌとした。実施例の潜熱蓄熱材については表１に示す。Ａ，Ｂ，Ｓの各装置に加熱器を設置して、水温を７５℃に昇温水を電動ポンプで各試料に循環し、Ａ、Ｂの熱交換機能について計測では熱伝導度に表２に示す差異を生じた。加熱装置の温水出口と取水口、該装置の入水、出口及び本体に温度センサーを接続して温度データーロガーにより計測。ｎ水量の流量計を取水口に設置し、集水ヘッダーの出口ｎ水量／秒を計測し、放熱／吸熱の機能に係る系の熱量、融点、及び装置内部温度の項目Ａ，Ｂ，Ｓの平均数値を表２に示す。
【産業上の利用可能性】
【００３９】  太陽熱、大気熱、廃熱等を利用する潜熱蓄熱材組成物として、高熱量保持の特性と温度伝熱効率の向上で、従来の１／２以下のコンパクト化で、低廉な蓄熱装置化を可能にし、省電力化と温暖化効果ガスの抑制効果に貢献する。各産業及び農業用施設や住宅用の冷暖房、給湯用及びデシカント冷房の除湿乾燥等に再生エネルギーを活用の蓄熱装置がある。
【符号の説明】
【００４０】    図１〜図３に係る符号
１〜マトリックス型蓄熱カプセル体／１ａ〜プレート面・１ｂ〜カプセル内部壁面・１ｃ〜潜熱蓄熱材組成物・２〜熱媒体及び流水経路・３〜流水路支柱・４〜シール  Ｂ〜内壁、Ｃ〜換気口、Ｄ〜断熱材、Ｅ〜外壁面【００４１】
【表１】
2014058681.tif 000003
【表２】
2014058681.tif 000004
【図１】
2014058681.tif 000005
【図２】
2014058681.tif 000006
【図３】
2014058681.tif 000007